(57)【要約】【課題】アラーム発生後の工作機械の復旧操作に関して未熟な作業者による復旧操作を防止する工作機械、復旧操作許可制御プログラム及び記録媒体を提供すること。【解決手段】ＲＦＩＤリーダー８がＲＦＩＤタグ９に記憶された作業者固有ＩＤ番号を読み込んだ場合には（Ｓ５；Ｙｅｓ）、その作業者固有ＩＤ番号と復旧操作許可設定テーブル１２の作業者固有ＩＤ番号に対応したアラーム群の操作許可範囲に基づいて、ＲＦＩＤタグ９を入力した作業者が、発生したアラームに関して復旧操作能力のある作業者であるか否か判定される（Ｓ７）。判定の結果、復旧操作能力のある作業者であると判定された場合には（Ｓ７；Ｙｅｓ）、復旧操作許可のメッセージが液晶ディスプレイ７に表示されると共に（Ｓ８）、数値制御装置３内での復旧操作の受付けの無効化を解除し（Ｓ９）。【選択図】図６
2008250479.tif 000002
【特許請求の範囲】
【請求項１】
工作機械における複数種類の項目と、前記項目に対し前記工作機械を操作可能な作業者を識別する作業者識別情報とを対応させて予め設定した設定情報記憶手段と、
前記作業者識別情報を読取る読取り手段と、
前記読取り手段で読取った前記作業者識別情報と、前記設定情報記憶手段に記憶された前記項目とに基づいて作業者に工作機械の操作を許可する操作許可手段と、
を備えたことを特徴とする工作機械。
【請求項２】
前記複数種類の項目が複数種類の工具であること特徴とする請求項１に記載の工作機械。
【請求項３】
工作機械を制御する制御装置のコンピュータを、
工作機械における複数種類の項目と、前記項目に対し前記工作機械を操作可能な作業者を識別する作業者識別情報とを対応させて予め設定した設定情報記憶手段と、
前記作業者識別情報を読取る読取り手段と、
前記読取り手段で読取った前記作業者識別情報と、前記設定情報記憶手段に記憶された前記項目とに基づいて作業者に工作機械の操作を許可する操作許可手段と、
して機能させることを特徴とする操作許可制御プログラム。
【請求項４】
前記請求項３に記載の工作機械操作許可制御プログラムをコンピュータで読出し可能に記録した記録媒体。
【請求項５】
工作機械の故障や異常に対応する複数種類のアラームと、前記アラームに対して前記工作機械を操作可能な作業者を識別する作業者識別情報とを対応させて予め設定した設定情報記憶手段と、
前記作業者識別情報を読取る読取り手段と、
前記読取り手段で読取った前記作業者識別情報と、前記設定情報記憶手段に記憶された前記アラームとに基づいて作業者に復旧操作を許可する復旧操作許可手段と、
を備えたことを特徴とする工作機械。
【請求項６】
前記設定情報記憶手段は、工作機械に発生する複数種類のアラームをランク付けした複数のアラーム群に区分し、前記アラーム群に含まれる複数のアラームのアラーム番号と前記ランクを識別するためのランク識別情報とを対応付けて記憶していることを特徴とする請求項５に記載の工作機械。
【請求項７】
前記作業者識別情報をＲＦＩＤタグに記憶させ、前記読取り手段はＲＦＩＤリーダーからなることを特徴とする請求項６に記載の工作機械。
【請求項８】
工作機械を制御する制御装置のコンピュータを、
工作機械の故障や異常に対応する複数種類のアラームと、前記アラームに対して前記  工作機械を操作可能な作業者を識別する作業者識別情報とを対応させて予め設定した設定情報記憶手段と、
前記作業者識別情報を読取る読取り手段と、
前記読取り手段で読取った前記作業者識別情報と、前記設定情報記憶手段に記憶された前記アラームとに基づいて作業者に復旧操作を許可する復旧操作許可手段と、
して機能させることを特徴とする復旧操作許可制御プログラム。
【請求項９】
請求項８に記載の復旧操作許可制御プログラムをコンピュータで読出し可能に記録した記録媒体
【発明の詳細な説明】
【技術分野】
【０００１】
本発明は、工作機械、操作許可制御プログラム及び記録媒体、復旧操作許可制御プログラム及び記録媒体に関し、特に、工作機械本体の故障や異常に対し復旧操作能力のある作業者にのみ復旧操作が許可されるよう制御装置を制御するものである。
【背景技術】
【０００２】
従来のＮＣ（数値制御）式の工作機械においては、工作機械本体の故障や異常が検出されアラームが発生すると、工作機械本体の運転が停止する。その後、作業者が工作機械本体の操作パネルを操作して復旧操作を行う。復旧操作後、アラームを解除し復旧処理を完了する。
【０００３】
特許文献１には、工作機械で発生した故障の内容に応じて修復担当者を機械自身又作業者の何れかに決定する工作機械の故障管理装置が開示されている。この故障管理装置においては、工作機械の故障が検出され装置内でアラームが発生すると、故障診断制御部により、アラーム対応テーブルに基づいて発生したアラーム内容、及びそのアラームに対応できる修復担当者が決定される。
【特許文献１】特開２００３−１９６４１号公報
【発明の開示】
【発明が解決しようとする課題】
【０００４】
従来のＮＣ工作機械においては、工作機械本体の故障による停止後、安全装置を一時的に無効化してから復旧操作を行う場合、復旧操作に関して未熟な作業者が迂闊に不用意な操作を行うと、工作機械本体が突発的に作動して工作機械本体や主軸の工具が破損するおそれがある。また、復旧操作に関して未熟な作業者が、アラームの解除を行うだけの不十分な復旧操作を行うことがある。そのため、不適切な復旧処理により工作機械本体の運転の再開後に不良品の発生を招くおそれがある。
【０００５】
特許文献１の故障管理装置においては、修復担当者として作業者が決定された場合、その作業者が、工作機械の復旧操作に関して熟練した作業者であるか否かまでは判断されない。そのため、工作機械の復旧操作に関して未熟な作業者が復旧操作を行った場合には、従来と同様の問題が生じる。
本発明の目的は、工作機械にアラーム発生後の復旧操作に関して未熟な作業者による復旧操作を防止する工作機械、復旧操作許可制御プログラム、その記録媒体を提供すること、ワーク加工に供する工具に関して未熟な作業者による工作機械の操作を防止する工作機械、操作許可制御プログラム、その記録媒体を提供することである。
【課題を解決するための手段】
【０００６】
請求項１の工作機械は、工作機械における複数種類の項目と、項目に対し工作機械を操作可能な作業者を識別する作業者識別情報とを対応させて予め設定した設定情報記憶手段と、作業者識別情報を読取る読取り手段と、読取り手段で読取った作業者識別情報と、設定情報記憶手段に記憶された項目とに基づいて作業者に工作機械の操作を許可する操作許可手段とを備えたものである。
【０００７】
工作機械を操作する場合、読取り手段により作業者識別情報が読取られ、操作許可手段により、作業者識別情報と設定情報記憶手段に記憶された項目とに基づいて作業者に工作機械の操作が許可されるので、工作機械の操作に関して未熟な作業者による操作を防止できる。
【０００８】
請求項２の工作機械は、請求項１の発明において、複数種類の項目が複数種類の工具であること特徴としている。
【０００９】
請求項３の操作許可制御プログラムは、工作機械を制御する制御装置のコンピュータを、工作機械における複数種類の項目と、項目に対し工作機械を操作可能な作業者を識別する作業者識別情報とを対応させて予め設定した設定情報記憶手段と、作業者識別情報を読取る読取り手段と、読取り手段で読取った前記作業者識別情報と、設定情報記憶手段に記憶された前記項目とに基づいて作業者に工作機械の操作を許可する操作許可手段として機能させることを特徴としている。
【００１０】
請求項４の記録媒体は、請求項３に記載の操作許可制御プログラムをコンピュータで読出し可能に記録したものである。
【００１１】
請求項５の工作機械は、工作機械の故障や異常に対応する複数種類のアラームと、アラームに対して工作機械を操作可能な作業者を識別する作業者識別情報とを対応させて予め設定した設定情報記憶手段と、作業者識別情報を読取る読取り手段と、読取り手段で読取った作業者識別情報と、設定情報記憶手段に記憶されたアラームとに基づいて作業者に復旧操作を許可する復旧操作許可手段とを備えたものである。
【００１２】
工作機械に故障や異常が発生した場合、読取り手段により作業者識別情報が読取られ、操作許可手段により、作業者識別情報と設定情報記憶手段に記憶されたアラームとに基づいて作業者に工作機械の復旧操作が許可されるので、復旧操作に関して未熟な作業者による操作を防止できる。
【００１３】
請求項６の工作機械は、請求項５の発明において、設定情報記憶手段は、工作機械に発生する複数種類のアラームをランク付けした複数のアラーム群に区分し、アラーム群に含まれる複数のアラームのアラーム番号とランクを識別するためのランク識別情報とを対応付けて記憶していることを特徴としている。
【００１４】
請求項７の工作機械は、請求項６の発明において、作業者識別情報をＲＦＩＤタグに記憶させ、読取り手段はＲＦＩＤリーダーからなることを特徴としている。
請求項８の復旧操作許可制御プログラムは、工作機械を制御する制御装置のコンピュータを、工作機械の故障や異常に対応する複数種類のアラームと、アラームに対して工作機械を操作可能な作業者を識別する作業者識別情報とを対応させて予め設定した設定情報記憶手段と、作業者識別情報を読取る読取り手段と、読取り手段で読取った作業者識別情報と、設定情報記憶手段に記憶されたアラームとに基づいて作業者に復旧操作を許可する復旧操作許可手段として機能させることを特徴としている。
【００１５】
請求項９の記録媒体は、請求項８に記載の復旧操作許可制御プログラムをコンピュータで読出し可能に記録したものである。
【発明の効果】
【００１６】
請求項１の発明によれば、工作機械における複数種類の項目と作業者識別情報とを対応させて予め設定した設定情報記憶手段と、作業者識別情報を読取る読取り手段と、作業者識別情報と、設定情報記憶手段に記憶された項目とに基づいて作業者に工作機械の操作を許可する操作許可手段とを備えたので、工作機械の操作に関して未熟な作業者による操作を防止することができる。また、項目に対応した工作機械の操作能力のある作業者にのみ操作を許可するので、操作に関して未熟な作業者の誤操作による工作機械の破損を防止することができる。
【００１７】
請求項２の発明によれば、複数種類の項目が複数種類の工具であるので、使用される工具に対応した工作機械の操作能力のある作業者にのみ操作を許可することができる。
請求項３の発明によれば、操作許可制御プログラムは、工作機械を制御する制御装置のコンピュータを、工作機械における複数種類の項目と作業者識別情報とを対応させた予め設定した設定情報記憶手段と、作業者識別情報を読取る読取り手段と、作業者識別情報と、設定情報記憶手段に記憶された項目とに基づいて作業者に工作機械の操作を許可する操作許可手段として機能させるので、請求項１と同様の効果を奏する。
【００１８】
請求項４の発明によれば、記録媒体は、請求項３に記載の操作許可制御プログラムをコンピュータで読出し可能に記録したので、工作機械を制御する制御装置のコンピュータで操作許可制御プログラムを実行でき、請求項１と同様の効果を奏する。
【００１９】
請求項５の発明によれば、複数種類のアラームと作業者識別情報とを対応させて予め設定した設定情報記憶手段と、作業者識別情報を読取る読取り手段と、作業者識別情報と、設定情報記憶手段に記憶されたアラームとに基づいて作業者に復旧操作を許可する復旧操作許可手段とを備えたので、復旧操作に関して未熟な作業者による操作を防止することができる。
【００２０】
また、工作機械の故障や異常の内容に対応した復旧操作能力のある作業者にのみ復旧操作を許可するので、復旧操作に関して未熟な作業者の誤操作による工作機械の破損を防止することができる。さらに、復旧操作に関して未熟な作業者による不適切な復旧処理後の不良品の発生を防止することできる。
【００２１】
請求項６の発明によれば、設定情報記憶手段は、工作機械に発生する複数種類のアラームをランク付けした複数のアラーム群に区分し、アラーム群に含まれる複数のアラームのアラーム番号とランクを識別するためのランク識別情報とを対応付けて記憶しているので、アラームの種類別に応じて復旧操作できる作業者を識別することができる。
【００２２】
請求項７の発明によれば、作業者識別情報をＲＦＩＤタグに記憶させ、読取り手段はＲＦＩＤリーダーからなるので、工作機械側でアラームの種類別に応じて復旧操作能力のある作業者を認識することでできる。
【００２３】
請求項８の発明によれば、復旧操作許可制御プログラムは、工作機械を制御する制御装置のコンピュータを、複数種類のアラームと作業者識別情報とを対応させて予め設定した設定情報記憶手段と、作業者識別情報を読取る読取り手段と、作業者識別情報と、設定情報記憶手段に記憶されたアラームとに基づいて作業者に復旧操作を許可する復旧操作許可手段として機能させるので、請求項５と同様の効果を奏する。
請求項９の発明によれば、請求項８に記載の復旧操作許可制御プログラムをコンピュータで読出し可能に記録したので、工作機械を制御する制御装置のコンピュータで復旧操作許可制御プログラムを実行させることができ、請求項５と同様の効果を奏する。
【発明を実施するための最良の形態】
【００２４】
本実施例は、工作機械の故障や異常に対応する複数種類のアラームと、アラームに対して工作機械を操作可能な作業者を識別する作業者識別情報とを対応させて予め設定した設定情報記憶手段と、作業者識別情報を読取る読取り手段と、読取り手段で読取った作業者識別情報と、設定情報記憶手段に記憶されたアラームとに基づいて作業者に復旧操作を許可する復旧操作許可手段とを備え、工作機械の故障や異常内容に対応した復旧操作能力のある作業者に復旧操作が許可されるように工作機械が制御されるものである。
【実施例１】
【００２５】
以下、本発明の実施例１について図面を参照して説明する。
図１に示すように、ＮＣ工作機械１は、工作機械本体２と、工具を用いてワークに各種の加工処理を施すように工作機械本体２を制御する数値制御装置３などを有する。工作機械本体２には、主軸を回転させる主軸モータ２１と、主軸をＸ方向に移動させるＸ軸モータ２２と、主軸をＹ方向に移動させるＹ軸モータ２３と、主軸を上下動させるＺ軸モータ２４とから構成されている。
【００２６】
次に、工作機械本体２を制御する数値制御装置３について説明する。
数値制御装置３は、ＣＰＵ３１とこのＣＰＵ３１に接続されたＲＯＭ３２とＲＡＭ３３と不揮発性メモリからなるプログラムメモリ３４とを有するマイクロコンピュータからなる制御装置３０と、モータ駆動回路３５等を備えている。このモータ駆動回路３５は、工作機械本体２の各モータ２１〜２４を夫々駆動可能に構成されている。工作機械本体２には操作パネル５が設けられ、この操作パネル５には、キーボード６と、液晶ディスプレイ７と、作業者に付与されたＲＦＩＤタグ（作業者識別情報が記憶された）９から作業者識別情報を読取り可能なＲＦＩＤリーダー８（読取り手段）などが設けられている。これらキーボード６と、液晶ディスプレイ７と、ＲＦＩＤリーダー８は数値制御装置３に夫々接続されている。
【００２７】
ＲＦＩＤタグ９は、記憶部と送受信部と整流部とを有する半導体チップと、アンテナコイルにより構成されている。記憶部には、作業者識別情報としての作業者固有ＩＤ番号が記憶されている。ＲＦＩＤタグ９は、ＲＦＩＤリーダー８から電磁波を受信すると、電磁誘導によりアンテナコイルに発生する起電力を電源として作動し、記憶部に記憶している作業者固有ＩＤ番号をアンテナを介して外部に発信する。ＲＦＩＤリーダー８は、作業者がＲＦＩＤタグ９を操作パネル５に接近させたとき、ＲＦＩＤタグ９の記憶部に記憶した作業者固有ＩＤ番号を読取る。
【００２８】
ＲＯＭ３２には、種々のＮＣプログラム（加工プログラム）に基づいて工作機械本体２を駆動制御する各種の制御プログラム、液晶ディスプレイ７を制御する表示制御プログラム、工作機械本体２で発生する故障や異常の種類毎（サーボエラー、油圧異常等）に区分されたアラーム番号設定テーブル１０、アラーム発生後の作業者復旧操作許可制御プログラム等が記憶されている。
【００２９】
ＲＡＭ３３には、後述するアラーム群設定テーブル１１、アラーム発生後の作業者の復旧操作許可に関する復旧操作許可設定テーブル１２等が記憶される。但し、このＲＡＭ３３は常に２次電池でバックアップされており、その記憶内容は記憶保持される。プログラムメモリ３４には、複数の加工プログラムがプログラム番号を付けて記憶されている。
【００３０】
図２に示すように、アラーム番号設定テーブル１０には、複数のアラーム番号（００１、００２、００３・・・・）と、それらのアラーム番号に対応付けたアラーム名が記憶されている。
図３に示すように、複数種類のアラームは工作機械本体２の故障や異常のレベルをランク付けして複数群に区分されており、それらの情報がアラーム群設定テーブル１１に記憶されている。図４に示すように、アラーム群設定テーブル１１には、各アラーム群名（アラーム群Ａ、アラーム群Ｂ・・・）と、各アラーム群に含まれるアラーム番号と、各アラーム群のランク識別情報とが記憶されている。
【００３１】
ランク識別情報には、各アラーム群に含まれる複数種類のアラームをランク付けして分類するための情報に分類されている。例えば、工作機械本体２の故障はアラーム群Ａとして、工作機械本体２の付帯設備の異常はアラーム群Ｂとして、工作機械本体２の異常はアラーム群Ｃとして分類されている。なお、アラーム群Ａ〜Ｃに含まれないアラームは、軽微な故障や異常に分類される。図３、４に示すように、アラーム番号「００６」の場合には、アラーム群Ａ及びアラーム群Ｂの両方に属する。
【００３２】
次に、復旧操作許可設定テーブル１２について説明する。
図５に示すように、復旧操作許可設定テーブル１２には、作業者に付与されたＲＦＩＤタグ９の作業者固有ＩＤ番号に対応するアラーム群の情報が記憶されている。この復旧操作許可テーブル１２の情報と、作業者のＲＦＩＤタグ９に記憶された作業者固有ＩＤ番号とに基づいて発生したアラームに対応できる作業者が識別される。復旧操作許可設定テーブル１２には、ＲＦＩＤタグ番号（ＲＦＩＤタグＩ、ＲＦＩＤタグＩＩ・・・）と、作業者識別情報と、操作許可範囲と、ＲＦＩＤタグ有効期限とが記憶されている。
【００３３】
作業者識別情報には、作業者のＲＦＩＤタグ９の作業者固有ＩＤ番号が記憶されている。操作許可範囲には、作業者固有ＩＤ番号に対応して復旧操作できるアラーム群の範囲が記憶されている。例えば、ＲＦＩＤタグ「Ｉ」でアラーム群Ａの範囲の復旧操作が許可される。ＲＦＩＤタグの有効期限については、有効時間で管理してもよい。また、これら有効期限もしくは有効時間を無期限に設定してもよい。
【００３４】
次に、ＮＣ工作機械１の制御装置３０により実行される、アラーム発生時の作業者復旧操作許可制御について、図６のフローチャートに基づいて説明する。但し、図中の符号Ｓｉ（ｉ＝１、２、３・・・）は各ステップである。
ワーク加工中に工作機械本体２の故障や異常が検出されると、数値制御装置３内にアラームが発生し（Ｓ１）、そのアラームのアラーム番号がアラーム設定テーブル１０から読み出されワークメモリに記憶される。例えば、工作機械本体２においてサーボエラーが発生した場合、アラーム番号「００１」がワークメモリに記憶される。
【００３５】
工作機械本体２の運転停止後、液晶ディスプレイ７にアラーム番号が表示され（Ｓ２）、そのアラーム番号が複数のアラーム群の何れかに登録されているか否かアラーム群設定テーブル１１のアラーム群情報から検索される（Ｓ３）。検索の結果、そのアラーム番号が、複数のアラーム群の何れかに登録されている場合には（Ｓ３；Ｙｅｓ）、作業者の復旧操作の受付けを一時的に無効化し、作業者に対してＲＦＩＤタグ９の入力を促す為のメッセージが液晶ディスプレイ７に表示される（Ｓ４）。
【００３６】
この場合、例えば、アラーム番号「００１」がアラーム群に登録されている場合、「ＲＦＩＤタグを入力をしてください」と表示される。
一方、アラーム番号がアラーム群に登録されていない場合には（Ｓ３；Ｎｏ）、工作機械本体２の故障が軽微な故障であるため、復旧操作の無効化処理が実行されない。
【００３７】
次に、ＲＦＩＤリーダー８が作業者のＲＦＩＤタグ９に記憶された作業者固有ＩＤ番号を読み込んだか否か判定する（Ｓ５）。判定の結果、作業者固有ＩＤ番号が読み込まれず（Ｓ５；Ｎｏ）、作業者によるリセットキーやアラーム解除キーなどが操作されない場合には（Ｓ６；Ｎｏ）、Ｓ５の処理が繰返し実行される。一方、Ｓ６において、作業者によりアラーム解除キーやリセットキーなどが操作された場合には（Ｓ６；Ｙｅｓ）、Ｓ５のメッセージが再度液晶ディスプレイ７に表示される（Ｓ４）。
【００３８】
他方、Ｓ５において、ＲＦＩＤリーダー８がＲＦＩＤタグ９に記憶された作業者固有ＩＤ番号を読み込んだ場合には（Ｓ５；Ｙｅｓ）、その作業者固有ＩＤ番号と復旧操作許可設定テーブル１２の作業者固有ＩＤ番号に対応したアラーム群の操作許可範囲に基づいて、ＲＦＩＤタグ９を入力した作業者が、発生したアラームに関して復旧操作能力のある作業者であるか否か判定される（Ｓ７）。判定の結果、復旧操作能力のある作業者でないと判定された場合には（Ｓ７；Ｎｏ）、Ｓ４のメッセージが再度液晶ディスプレイ７に表示された後（Ｓ４）、Ｓ５〜Ｓ７の処理が繰返し実行される。
【００３９】
一方、復旧操作能力のある作業者であると判定された場合には（Ｓ７；Ｙｅｓ）、復旧操作許可のメッセージが液晶ディスプレイ７に表示されると共に（Ｓ８）、数値制御装置３内での復旧操作の受付けの無効化を解除し（Ｓ９）、この制御を終了する。
【００４０】
尚、アラーム群設定テーブル１１と、復旧操作許可設定テーブル１２が「設定情報記憶手段」に相当し、図６のＳ７〜Ｓ９を実行するＣＰＵ３１が「復旧操作許可手段」に相当する。
【００４１】
以上説明した実施例１のＮＣ工作機械１の作用効果について説明する。
ワーク加工中において、工作機械本体２でサーボエラーが発生し、数値制御装置３内でアラームが発生すると工作機械本体２の運転が停止する。その後、液晶ディスプレイ７にアラーム番号「００１」と、ＦＲＩＤタグ９の入力を促すメッセージとが表示されると共にともに、数値制御装置３内において復旧操作の受付けが一時的に無効化され、作業者の復旧操作に制限がかけられる。
【００４２】
工作機械本体２の修理担当者が、ＲＦＩＤタグ「Ｉ」を操作パネル５に接近させたとき、ＲＦＩＤリーダー８によりその修理担当者のＲＦＩＤタグ「Ｉ」に記憶された作業者固有ＩＤ番号が読み込まれる。数値制御装置３内において、その担当者がサーボエラーに対処できる復旧操作能力のある作業者であるか否か識別するため、ＲＦＩＤタグ「Ｉ」の作業者固有ＩＤ番号と、作業者固有ＩＤ番号に対応したアラーム群情報とに基づいて判断される。工作機械本体２の修理担当者がサーボエラーに対処できる作業者と判断された場合、復旧操作許可のメッセージが液晶ディスプレイ７に表示され、復旧操作の受付けの無効化が解除される。
【００４３】
このように、工作機械本体２の故障や異常に対し復旧操作能力のある作業者に復旧操作が許可されるので、復旧操作の許可を受けた作業者以外の復旧操作を防止することができる。また、復旧操作に関して未熟な作業者の誤操作による工作機械本体２の破損や不適切な復旧処理後の不良品の発生を防止することできる。
【実施例２】
【００４４】
次に、実施例２のＮＣ工作機械１について、図７〜図１２に基づいて説明する。実施例２では、ワーク加工に使用される工具の種類に応じて工作機械本体２の操作能力のある作業者にのみ工作機械本体２の操作が許可されるようにＮＣ工作機械１が制御されるものである。なお、実施例１と同様の部分についてはその説明を省略する。
【００４５】
数値制御装置３のＲＯＭ３２には、工具の種類毎（ドリル、タップなど）に区分された工具番号設定テーブル１３等が記憶されている。ＲＡＭ３３には、加工プログラムに対応する使用工具を設定する使用工具設定テーブル１４、後述する工具群設定テーブル１５、操作許可設定テーブル１６等が記憶されている。
【００４６】
図７に示すように、工具番号設定テーブル１３には、複数の工具番号（１、２、３・・・）と、それらの工具番号に対応付けた工具名が記憶されている。図８に示すように、使用工具設定テーブル１４には、複数の加工プログラム番号（加工プログラムＡ、加工プログラムＢ・・・）と、それら加工プログラムに基づいてワーク加工に使用される工具の工具番号が記憶されている。
【００４７】
図９に示すように、複数種類の工具は、種類の異なる特殊な工具（例えば、高価な工具、取扱いの難しい工具等）をランク付けして複数群に区分されており、それらの情報が工具群設定テーブル１５に記憶されている。図１０に示すように、工具群設定テーブル１５には、各工具群名（工具群Ａ、工具群Ｂ・・・）と、各工具群に含まれる工具番号と、各工具群のランク識別情報とが記憶されている。ランク識別情報には、各工具群に含まれる複数種類の工具をランク付けして分類するための情報に分類されている。例えば、高価な工具は、特殊工具Ａとして、取扱いの難しい工具は、特殊工具Ｂとして分類されている。なお、工具群Ａ、Ｂに含まれない工具は、通常工具に分類される。図９、１０に示すように、工具番号「００６」の場合には、工具群Ａ及び工具群Ｂの両方に属する。
【００４８】
次に、工作機械本体２の操作許可設定テーブル１６について説明する。
図１１に示すように、操作許可設定テーブル１６には、作業者に付与されたＲＦＩＤタグ９の作業者固有ＩＤ番号に対応する工具群の情報が記憶されている。この操作許可設定テーブル１６の情報と、作業者のＲＦＩＤタグ９に記憶された作業者固有ＩＤ番号に基づいてワーク加工に使用される工具に対応できる作業者が識別される。操作許可設定テーブル１６には、ＲＦＩＤタグ番号（ＲＦＩＤタグＩ、ＲＦＩＤタグＩＩ・・・）と、作業者識別情報と、操作許可範囲と、ＲＦＩＤタグ有効期限とが記憶されている。
【００４９】
作業者識別情報には、作業者のＲＦＩＤタグ９の作業者固有ＩＤタグ番号が記憶されている。操作許可範囲には、作業者固有ＩＤ番号に対応する工具群の範囲が記憶されている。例えば、ＲＦＩＤタグ「Ｉ」で工具群「Ａ」の範囲の工作機械本体２の操作が許可される。ＲＦＩＤタグの有効期限については、有効時間で管理してもよい。また、これら有効期限もしくは有効時間を無期限に設定してもよい。
【００５０】
次に、ＮＣ工作機械１の制御装置３０により実行される、工作機械本体２の操作許可制御について、図１２のフローチャートに基づいて説明する。但し、図中の符号Ｓｉ（ｉ＝１１、１２、１３・・・）各ステップである。
ＮＣ工作機械１の電源投入後、この制御が開始される。所定の初期設定が実行された後（Ｓ１１）、複数の加工プログラムの中から選択された加工プログラムがメモリから読み出される（Ｓ１２）。Ｓ１３において、選択された加工プログラムに基づいてワーク加工に使用される工具が使用工具設定テーブル１４から読み出され（Ｓ１３）、ワークメモリに記憶される。次に、その工具が複数の工具群の何れかに登録されているか否か工具群設定テーブル１５の工具群情報から検索される（Ｓ１４）。
【００５１】
検索の結果、使用工具が、工具群に登録されている場合（Ｓ１４；Ｙｅｓ）、工作機械本体の操作の受付けを一時的に無効化し、作業者に対してＲＦＩＤタグ９の入力を促すメッセージが液晶ディスプレイ７に表示される（Ｓ１５）。一方、使用工具が工具群に登録されていない場合には（Ｓ１４；Ｎｏ）、使用工具が特殊な工具でなく、通常工具であるため、操作の無効化処理が実行されない。
【００５２】
次に、ＲＦＩＤリーダー８が作業者のＲＦＩＤタグ９に記憶された作業固有ＩＤ番号を読み込んだか否か判定する（Ｓ１６）。判定の結果、作業者固有ＩＤ番号が読み込まれず（Ｓ１６；Ｎｏ）、作業者による起動キーなどが操作されない場合には（Ｓ１７；Ｎｏ）、Ｓ１６の処理が繰返し実行される。一方、Ｓ１７において、作業者により起動キーなどが操作された場合（Ｓ１７；Ｙｅｓ）、Ｓ１５のメッセージが再度液晶ディスプレイ７に表示される（Ｓ１５）
【００５３】
他方、Ｓ１６において、ＲＦＩＤリーダー８がＲＦＩＤタグ９に記憶された作業者固有ＩＤ番号を読み込んだ場合には（Ｓ１６；Ｙｅｓ）、その作業者固有ＩＤ番号と操作許可設定テーブル１６の作業者固有ＩＤ番号に対応した工具群の操作許可範囲に基づいて、ＲＦＩＤタグ９を入力した作業者が、使用工具に関して操作能力のある作業者であるか否か判定される（Ｓ１８）。判定の結果、操作能力のある作業者でないと判定された場合には（Ｓ１８；Ｎｏ）、Ｓ１５のメッセージが再度液晶ディスプレイ７に表示された後、Ｓ１６〜Ｓ１８の処理が繰返し実行される。
【００５４】
一方、操作能力のある作業者であると判定された場合には（Ｓ１８；Ｙｅｓ）、ワーク加工許可のメッセージが液晶ディスプレイ７に表示されると共に（Ｓ１９）、工作機械本体２の操作の受付けの無効化を解除し（Ｓ２０）、この制御を終了する。
【００５５】
尚、工具群設定テーブル１５と、操作許可設定テーブル１６が「設定情報記憶手段」に相当し、図１２のＳ１８〜Ｓ２０を実行するＣＰＵ３１構成が「操作許可手段」に相当する。
【００５６】
以上説明した実施例２のＮＣ工作機械１の作用効果について説明する。
ワーク加工開始前において、選択された加工プログラムに基づいてワーク加工に供する工具が、高価で特殊なセンタ穴ドリルの場合には、液晶ディスプレイ７に工具番号「１」が表示されると共に、数値制御装置３内において工作機械本体２の操作の受付けが一時的に無効化され、作業者の工作機械本体２の操作に制限がかけられる。
【００５７】
そのセンタ穴ドリル加工に関して熟練した作業者が、ＲＦＩＤタグ「Ｉ」を操作パネル５に接近させたとき、ＲＦＩＤリーダー８によりその修理担当者のＲＦＩＤタグ「Ｉ」に記憶された作業者固有ＩＤ番号が読み込まれる。数値制御装置３内のおいてセンタ穴ドリルを用いて工作機械本体２の操作能力のある作業者であるか否か識別するため、ＲＦＩＤタグ「Ｉ」の作業者固有ＩＤ番号と、作業者固有ＩＤ番号に対応した工具群情報とに基づいて判断される。操作能力のある作業者と判断された場合、工作機械本体２の操作許可のメッセージが液晶ディスプレイ７に表示され、工作機械本体２の操作の受付けの無効化が解除される。
【００５８】
このように、選択された加工プログラムに基づいてワーク加工で使用する工具に対応した工作機械本体２の操作能力のある作業者にのみ操作が許可されるので、操作許可を受けた作業者以外による工作機械本体２の操作を防止することができると共に、工具の破損を防止することができる。
【００５９】
次に、前記実施例１、２を部分的に変更した変更例について説明する。
１）実施例１、２においては、ＲＦＩＤタグ９の作業者固有ＩＤ番号で作業者を識別したが、その他、例えば、作業者を識別する為に、鍵を使用する場合には形状データ、作業者の顔、指紋、声紋、網膜、虹彩、静脈などを利用する場合には画像や音声データなどのデータ、パスワードを使用する場合にはパスワードとしてもよい。
２）実施例１、２において、工作機械における複数の項目として、工具の種類や、複数種類のアラームとしているが、加工プログラムでもよい。あるいは、ワークの種類でもよい。
【図面の簡単な説明】
【００６０】
【図１】本発明の数値制御装置を有するＮＣ工作機械の構成図である。
【図２】アラーム番号設定テーブルの内容を説明する図表ある。
【図３】アラーム群についての説明図である。
【図４】アラーム群設定テーブルの内容を説明する図表である。
【図５】復旧操作許可設定テーブルの内容を説明する図表である。
【図６】復旧操作許可制御のフローチャートである。
【図７】工具番号設定テーブルの内容を説明する図表である。
【図８】使用工具設定テーブルの内容を説明する図表である。
【図９】工具群についての説明図である。
【図１０】工具群設定テーブルの内容を説明する図表である。
【図１１】操作許可設定テーブルの内容を説明する図表である。
【図１２】操作許可制御のフローチャートである。
【符号の説明】
【００６１】
１  ＮＣ工作機械
８  ＲＦＩＤリーダー  
９  ＲＦＩＤタグ
１１アラーム群設定テーブル
１２復旧操作許可設定テーブル
３１ＣＰＵ
３２ＲＯＭ
３３ＲＡＭ
【図１】
2008250479.tif 000003
【図２】
2008250479.tif 000004
【図３】
2008250479.tif 000005
【図４】
2008250479.tif 000006
【図５】
2008250479.tif 000007
【図６】
2008250479.tif 000008
【図７】
2008250479.tif 000009
【図８】
2008250479.tif 000010
【図９】
2008250479.tif 000011
【図１０】
2008250479.tif 000012
【図１１】
2008250479.tif 000013
【図１２】
2008250479.tif 000014